(57)【要約】  【課題】ビスなどの工具を用いることなく、収納家具の組立の際に側板と底板との間の相対位置をより安定して固定させるようにする。  【解決手段】側面を形成する面板部２１及び後端に設けてなり前記面板部２１に対向する対向部２２２を備えた折り返し部２２を有する側板２と、この側板２の下方に設けられ該側板２の面板部２１と折り返し部２２との間に配してなる舌片４１１を後端部に有する底板４とを具備する構成を採用する。  【選択図】図１３
2008188354.tif 000002
【特許請求の範囲】
【請求項１】
側面を形成する面板部及び後端に設けてなり前記面板部に対向する対向部を備えた折り返し部を有する側板と、この側板の下方に設けられ該側板の面板部と折り返し部の対向部との間に配してなる舌片を後端部に有する底板とを具備することを特徴とする収納家具。
【請求項２】
前記側板の折り返し部に正面視重合する位置に配してなる背補強部を有する背板をさらに具備するとともに、前記背補強部と側板の折り返し部とを正面視重合させた状態で前記底板の舌片を前記側板の面板部と折り返し部との間に配してなることを特徴とする請求項１記載の収納家具。
【請求項３】
前記底板の舌片から幅方向中央寄りの部位に、前記重合部位と係合可能な凹部を設けていることを特徴とする請求項２記載の収納家具。
【請求項４】
前記背板の背補強部が、面板部から前方に起立する外向面部と、この外向面部の起立端から外方に延出する後向面部とを有するとともに、前記外向面部の外方かつ前記後向面部の後方の空間に前記折り返し部を収納可能であることを特徴とする請求項２又は３記載の収納家具。
【請求項５】
前記側板の折り返し部が、面板部から内方に起立する起立板部と、この起立板部の起立端から面板部に対向しつつ延伸する対向部とを有するとともに、前記起立板部の側面と前記背板の背面とを面一に構成していることを特徴とする請求項２、３又は４記載の収納家具。
【請求項６】
上下方向に延伸する補強材を側板に設けているとともに、この補強材の下端を底板に当接ないし近接させるようにしていることを特徴とする請求項１、２、３、４又は５記載の収納家具。
【発明の詳細な説明】
【技術分野】
【０００１】
本発明は、少なくとも背板と側板と底板とを組み付けてなる収納家具に関する。
【背景技術】
【０００２】
従来、物品を内部に収納可能な収納家具において、内部に収納空間を有する筐体が、それぞれ別体をなす背板、側板、底板、及び天板を組み付けてなるものが考えられてきている。このような収納家具においては、組付けの際にネジ等の固定具やドライバ等の工具をなるべく必要としないようにするための種々の構成が考えられてきている（例えば、特許文献１を参照）。
【特許文献１】特開２００２−３２０５１９号公報
【発明の開示】
【発明が解決しようとする課題】
【０００３】
ところで、特許文献１記載の構成では、底板から起立させて設けた折曲爪を、側板の下面に設けた貫通孔に係合させることにより底板と側板との間の位置決めを行うようにしている。ところが、このような構成では、側板が側方に倒れる方向への移動を前記折曲爪により規制するので、組立の際に側板と底板との間が幅方向に離間し、位置決めに手間がかかる不具合が生じることがある。
【０００４】
本発明は、以上に述べた課題を解決すべく構成するものである。
【課題を解決するための手段】
【０００５】
すなわち本発明に係る収納家具は、側面を形成する面板部及び後端に設けてなり前記面板部に対向する対向部を備えた折り返し部を有する側板と、この側板の下方に設けられ該側板の面板部と折り返し部の対向部との間に配してなる舌片を後端部に有する底板とを具備することを特徴とする。
【０００６】
このようなものであれば、前記舌片が側板の面板部と折り返し部の対向部との間に位置するので、この舌片が側板の折り返し部の対向部に当接することにより側板の幅方向外側への移動を規制しつつ、この舌片が側板の面板部に当接することにより側板の幅方向中央側への移動を規制し、ビスなどの工具を用いることなく側板と底板との間の相対位置をより安定して固定するようにできる。
【０００７】
側板と背板との間の外れ止めを簡単な構成により行うことができるようにするための構成として、前記側板の折り返し部に正面視重合する位置に配してなる背補強部を有する背板をさらに具備するとともに、前記背補強部と側板の折り返し部とを正面視重合させた状態で前記底板の舌片を前記側板の面板部と折り返し部との間に配してなるものが挙げられる。このようなものであれば、前記舌片が背板の背補強部の外方に位置するので、背板の幅方向の移動をも規制できるからである。
【０００８】
さらに効果的に側板の外れ止めを行うことができる態様として、前記底板の舌片から幅方向中央寄りの部位に、前記側板の折り返し部と係合可能な凹部を設けているものが挙げられる。このように構成すれば、凹部の左右両側の開口縁に前記側板の折り返し部及び背板の背補強部を当接させることができるからである。
【０００９】
このような折り返し部及び背補強部の態様の一例として、前記背板の背補強部が、面板部から前方に起立する外向面部と、この外向面部の起立端から外方に延出する後向面部とを有するとともに、前記外向面部の外方かつ前記後向面部の後方の空間に前記折り返し部を収納可能であるものが挙げられる。
【００１０】
このような収納家具の後方からの見栄えを整えることができる態様として、前記側板の折り返し部が、面板部から内方に起立する起立板部と、この起立板部の起立端から面板部に対向しつつ延伸する対向部とを有するとともに、前記起立板部の側面と前記背板の背面とを面一に構成しているものが挙げられる。
【００１１】
そして、側板の上下方向の位置決めを効果的に行えるようにするための態様として、上下方向に延伸する補強材を側板に設けているとともに、この補強材の下端を底板に当接ないし近接させるようにしているものが挙げられる。このようなものであれば、底板に補強材を当接ないし近接させることにより側板の下方への移動を規制できるからである。
【発明の効果】
【００１２】
本発明に係る収納家具の構成によれば、底板に設けた舌片が、側板の面板部と、この面板部に対向する折り返し部の対向部との間に位置するので、この舌片が側板の折り返し部の対向部に当接することにより側板の幅方向外側への移動を規制しつつ、この舌片が側板の面板部に当接することにより側板の幅方向中央側への移動を規制し、ビスなどの工具を用いることなく側板と底板との間の相対位置をより安定して固定するようにできる。
【発明を実施するための最良の形態】
【００１３】
以下、本発明の一実施の形態について図面を参照して説明する。
【００１４】
本実施形態に係る収納家具Ｓは、図１〜図３に示すように、背板１と、この背板１の左右両側端から前方に延伸する左右１対の側板２、２と、これら側板２、２の上端部間を接続する天板３と、前記側板２、２の下端部間に位置する底板４と、これら背板１、側板２、２、天板３、及び底板４により区成される収納空間ＳＳとを具備する。なお、前記図１には全体斜視図、図２には正面図、図３には平面図をそれぞれ示している。
【００１５】
前記背板１は、図４の（ａ）に平面図、同図の（ｂ）に正面図をそれぞれ示しているように、また、図５には下後隅部の拡大斜視図を示しているように、金属製の板状の部材であって、面板部１１と、この面板部１１の左右両側端から前方に起立させて設けた背補強部１２と、この背補強部１２から前方に起立させて設けた係合突起１３とを具備する。加えて、前記面板部１１の上端からは上枠部１４、前記面板部１１の下端からは下枠部１５をそれぞれ前方に起立させて設けている。さらに詳述すると、前記背補強部１２は、面板部１１の左右両側端から起立させて設けてなり外向面１２ａを有する外向面部１２１と、この外向面部１２１の起立端から外方すなわちこの背板１の幅方向中央に向かう方向と反対方向に延伸させて設けてなり後向面１２ｂを有する後向面部１２２とを有する。一方、前記係合突起１３は、本実施形態では前記後向面部１２２の先端から前方に起立する起立板部１３１と、この起立板部１３１から後内方に延設した斜面部１３２とを有する。これら背補強部１２及び係合突起１３は、この背板１の高さ寸法の略全域に亘って設けている。具体的には、前記背補強部１２は背板１を形成すべき金属板の両側縁を前方に起立させて設けている。一方、前記係合突起１３は、前記背補強部１２の上下両端近傍を除く略全域において金属板を切り起こして設けている。
【００１６】
前記側板２は、図６の（ａ）に平面図、同図の（ｂ）に内側面図をそれぞれ示しているように、また、図７には下後隅部の拡大斜視図を示しているように、面板部２１と、前記面板部２１の後端に設けた後折り返し部２２と、前記後折り返し部２２の前方に設けた後補強材２３と、前記面板部２１の前端近傍に設けた前補強材２５とを少なくとも有する。さらに、前記面板部２１の上端からは上枠部２６、前記面板部２１の下端からは下枠部２７をそれぞれ前方に起立させて設けている。さらに詳述すると、前記後折り返し部２２は、面板部２１の後端から内方に起立する起立部２２１と、この起立部２２１の先端から延伸し面板部２１に対向する対向部２２２とを具備する。この対向部２２２の面板部２１に対向する側と反対側の面は、この収納家具Ｓの幅方向側を向く内向面２２２ａである。また、この対向部２２２と前記面板部２１との間には隙間２ｘを設けている。そして、この後折り返し部２２は、前記背補強部１２の後向面部１２２の後方の空間に収納可能である。一方、前記後補強材２３は、面板部２１に対向する対向部２３１と、この対向部２３１の前端から面板部２１に向かう前面部２３２と、前記対向部２３１の後端から面板部２１に向かう後面部２３３と、この後面部２３３の後方で面板部２３１に平行に取り付けられる取付部２３４と、この取付部２３４の後端から起立する前向面部２３５とを有する。この前向面部２３５の外面を、前向面２３５ａとしている。そして、この後面部２３３の表面すなわち後補強材２３の後面２３ａは、外方、すなわち面板部２１に向かう側に傾斜していて、図８及び図９に示すように、この後補強材２３の後面２３ａと面板部２１との間の空間に前記係合突起１３の先端部を収納可能にしている。前記空間に前記係合突起１３の先端部を収納すると、この係合突起１３の斜面部が弾性変形し、側板２を前内方に付勢する。具体的には、外部から作用を受けない状態における前記係合突起１３の前記起立部１３１と前記斜面部１３２との間の角度を、面板部２１とこの後補強材２３の後面２３ａとの間の角度よりも大きくしていて、前記斜面部１３２と後補強材２３の後面２３ａとが係合した際に、係合突起１３の斜面部１３２が弾性力により後補強材２３の後面２３ａを前内方に押圧するようにしている。その際、後折り返し部２２が背板１の背補強部１２に圧着され、側板２が背板１に引き寄せられる。ここで、前記後折り返し部２２の起立部２２１の後面は、背板１の面板部１１の後面と略面一にしている。そして、前記前補強材２５は、従来のこの種の収納家具内部に設けられる補強材と同様の構成を有する。また、前記後補強材２３及び前記前補強材２５の上端と前記上枠部２６との間の空間に天板３、前記後補強材２３及び前記前補強材２５の下端と前記下枠部２７との間の空間に底板４を挿入可能にしているとともに、前記後補強材２３及び前記前補強材２５は、この側板２の高さ寸法の略全域、具体的には天板３の下面から底板４の上面に至る領域の全域に亘って延伸している。加えて、後補強材２３及び前補強材２５には、棚等のオプション部材を取り付け可能にすべく棚取付孔２３ｚ、２５ｚを設けている。
【００１７】
前記天板３は、図１０の（ａ）に側面図、同図の（ｂ）に底面図をそれぞれ示しているように、面板部３１と、この面板部３１の下方に設けられる補強材３２とを具備する。この天板３の補強材３２は金属製のパイプ状の部材であって、前記側板２の前補強材２５に以下に述べるような機構で接合するようにしている。前記側板２の前補強材２５の上端近傍からは、前記図３及び図６に示すように、前後１対の係止爪２５１、２５１を内方に突出させている。これら係止爪２５１、２５１は天板３の補強材３２の内部に挿入するようにしている。また、前記係止爪２５１、２５１の基端部間には、内下方を向く板状の係止板２５２を設けている。さらに、補強材３２内部にも、内下方を向く板状の係止板３２１を設けている。補強材３２の係止板３２１にはねじ挿通孔３２１ｘ、側板２側の係止板２５２には雌ねじ孔２５２ｘをそれぞれ設けている。そして、これらねじ挿通孔３２１ｘ及び雌ねじ孔２５２ｘを重合させた状態で、雄ねじ（図示略）を前記雌ねじ孔２５２ｘに螺合させる際の締着力により側板２を天板３に引き寄せるようにしている。
【００１８】
前記底板４は、図１１の（ａ）に側面図、同図の（ｂ）に底面図をそれぞれ示しているように、面板部４１と、この面板部４１の下方に設けられた補強材４２とを具備する。この底板の面板部４１は、後端部に前記側板２の折り返し部２２を収納可能、すなわち本実施形態では側板２の折り返し部２２と背補強部１２との重合部位と係合可能な凹部４１ｘを有し、図１２及び図１３に示すように、この凹部４１ｘの外方に設けた突片たる突起部４１１を側板２の折り返し部２２と面板部２１との間に配するようにしている。その際、前記側板２の後補強材２３の下端を、この底板４の上面に近接ないし当接させるようにしている。また、この底板４の補強材４２は金属製のパイプ状の部材である。一方、前記側板２の前補強材２５の下端近傍からは、前後１対の係止爪２５３、２５３を内方に突出させている。これら係止爪２５３、２５３は底板４の補強材４２の内部に挿入するようにしている。ここで、この係止爪２５３、２５３間の距離は、前記底板４の補強材４２の内法幅寸法に略一致させている。また、前記係止爪２５３、２５３の下縁部間には、雌ねじ孔２５４ｘを有する係止板２５４を設けている。そして、底板４の補強材４２には、前記雌ねじ孔２５４ｘに重合させてなるねじ挿通孔４２ｘ、側板２側の係止板２５４には雌ねじ孔２５４ｘをそれぞれ設けている。そして、これらねじ挿通孔４２ｘ及び雌ねじ孔２５４ｘを重合させた状態で、雄ねじ（図示略）を前記雌ねじ孔２５４ｘに螺合させ、側板２と底板４とを締着するようにしている。
【００１９】
この収納家具Ｓの組立手順、及び各部間の作用について以下に述べる。
【００２０】
まず、背板１と、側板２、２とを、背板１の内面と側板２、２の内面とを対向させた状態で配する。それから、側板２の後補強材２３の後面２３ａと、背板１の係合突起１３とを当接させる。次いで、これら後補強材２３の後面２３ａと係合突起１３とを当接させたまま、この当接部位を軸として側板２、２を９０度回転させ、前記図８及び図９に示すように後補強材２３の後面２３ａと係合突起１３の傾斜面１３２とを係合させる。この状態で、前記係合突起１３は弾性復原力を後補強材２３の後面２３ａに作用させている。また、側板２の後折り返し部２２は、背板１の背補強部１２の後方に位置し、前記係合突起１３からの作用により背補強部に圧着されている。すなわち、この後折り返し部２２の対向部２２２の内向面２２２ａが、背補強部１２の外向面１２ａに圧着される。さらに、前記後補強材２３の前向面部２３５の前向面２３５ａは、背補強部１２の後向面１２ｂに圧着される。
【００２１】
その後、前記図１２及び図１３に示すように、底板４の突起部４１１を側板２の折り返し部２２と面板部２１との間に挿入させつつこの底板４の後部を側板２の下枠部２７と後補強材２３との間に挿入する。さらに、前補強材２５の下端側の係止爪２５３、２５３を底板４の補強材４２の内部に挿入し、前記係止爪２５３、２５３間に設けた雌ねじ孔２５４ｘと前記補強材４２のねじ挿通孔４２ｘとを重合させた状態で、雄ねじ（図示略）を前記雌ねじ孔２５４ｘに螺合させ、側板２と底板４とを締着するとともに、この底板４の前部を底板２の下枠部２７と前補強材２５との間に配する。
【００２２】
そして、天板３の後部を側板２の上枠部２６と後補強材２３との間に挿入し、前記図３に示すように側板２の前補強材２５上端側の係止爪２５１、２５１を天板３の補強材３２の内部に挿入し、係止爪２５１、２５１の基端部間に設けた係止板２５２の雌ねじ孔２５２ｘと、天板３の補強材３２内部の係止板３２１のねじ挿通孔３２１ｘとを重合させた状態で、雄ねじ（図示略）を前記雌ねじ孔２５２ｘに螺合させる際の締着力により側板２を天板３に引き寄せて側板２と天板３との相対位置を固定する。
【００２３】
本実施形態に係る収納家具Ｓは、以上に述べたように、側板２が、側面を形成する面板部２１及び後端に設けてなり前記面板部２１に対向する対向部２２２を備えた折り返し部２２を有し、その一方で、底板４が、この側板２の下方に設けられ該側板２の面板部２１と折り返し部２２の対向部との間に配してなる舌片４１１を後端部に有する。従って、前記舌片４１１が側板２の面板部２１と折り返し部２２の対向部２２２との間に位置するので、この舌片４１１が側板２の折り返し部２２の対向部２２２に当接することにより側板２の幅方向外側への移動を規制しつつ、この舌片４１１が側板２の面板部２１に当接することにより側板２の幅方向中央側への移動を規制し、ビスなどの工具を用いることなく側板２と底板４との間の相対位置をより安定して固定するようにできる。
【００２４】
また、背板１が、前記側板２の折り返し部２２に正面視重合する位置に配してなる背補強部１２を有するとともに、前記背補強部１２と側板２の折り返し部２２とを正面視重合させた状態で前記底板４の舌片４１１を前記側板２の面板部２１と折り返し部２２の対向部２２２との間に配してなるので、前記舌片４１１が背板１の背補強部１２の外方に位置し、背板１の幅方向の移動をも規制できる。従って、側板２と背板１との間の外れ止めをも簡単な構成により行うことができる。
【００２５】
さらに、前記底板４の舌片４１１から幅方向中央寄りの部位に、前記側板２の折り返し部２２と係合可能な、より具体的には側板２の折り返し部２２と背補強部１２との重合部位と係合可能な凹部４１ｘを設けているので、凹部４１ｘの左右両側の開口縁に前記側板２の折り返し部２２及び背板１の背補強部１２を当接させることができ、効果的に側板２と背板１との間の外れ止めを行うことができる。
【００２６】
また、前記背板１の背補強部１２が、面板部１１から前方に起立する外向面部１２１と、この外向面部１２１の起立端から外方に延出する後向面部１２２とを有するとともに、前記外向面部１２１の外方かつ前記後向面部１２２の後方の空間に前記側板２２の折り返し部２２を収納可能であるので、折り返し部２２の折り返し端を背補強部１２により収納空間ＳＳ側から隠蔽することができ、この収納家具Ｓの収納空間内ＳＳの見栄えを整えることができる。
【００２７】
加えて、前記側板２の折り返し部２２が、面板部２１から内方に起立する起立板部２２１と、この起立板部２２１の起立端から面板部２１に対向しつつ延伸する対向部２２２とを有するとともに、前記起立板部２２１の側面と前記背板１の背面とを面一に構成しているので、このような収納家具Ｓの後方からの見栄えを整えることができる。
【００２８】
そして、上下方向に延伸する後補強材２３及び前補強材２５を側板２に設けているとともに、これら後補強材２３及び前補強材２５の下端を底板４に当接させるようにしているので、底板４に後補強材２３及び前補強材２５を当接させることにより側板２の下方への移動を規制でき、側板２の上下方向の位置決めを効果的に行うことができる。
【００２９】
なお、本発明は以上に述べた実施形態に限られない。
【００３０】
例えば、上述した実施形態では、底板の後縁の両側端近傍に凹部を形成し、該凹部に両側板の折り返し部を収納するとともに該凹部の外側を突片として形成しているが、底板の後縁の両側端から突片を後方に突出させて設け、両側端の突片間に底板の幅寸法の略全域に亘る凹部を形成するようにしてもよい。さらに、平面視矩形状の底板の後端の小口面から後方に突出させたピン等を利用して突片を形成してもよい。
【００３１】
また、上述した実施形態では、前方に突出するとともに後方に側板の折り返し部を配することの可能な背補強部を背板の両側端に形成しているが、背補強部は省略してもよく、また、他の態様、例えば側板の折り返し部と幅方向に隣接させてなる折り返し部として背補強部を形成してもよい。
【００３２】
さらに、上述した実施形態では、前記背板の背補強部が、面板部から前方に起立する起立板部と、この起立板部の起立端から外方に延出する延出部とを有するとともに、前記起立板部の外方かつ前記延出部の後方の空間に前記折り返し部を収納可能であるが、前記延出部を省略し、前記起立板部の外方に側板の折り返し部を当接させる態様を採用してもよい。
【００３３】
加えて、前記側板の折り返し部が、面板部から内方に起立する起立板部と、この起立板部の起立端から面板部に対向しつつ延伸する対向部とを有するとともに、前記起立板部の側面と前記背板の背面とを面一に構成していることを特徴とする請求項２、３又は４記載の収納家具。
【００３４】
そして、上述した実施形態では、上下方向に延伸する補強材を側板に設けているとともに、この補強材の下端を底板に当接ないし近接させるようにしているが、補強材でなく、側板の上方への移動を規制すべく、底板の上面に対応する高さ位置から突出させて設けた突条等の抜け止め手段を設けるようにしてもよい。
【００３５】
その他、本発明の趣旨を逸脱しない範囲で種々変形が可能である。
【図面の簡単な説明】
【００３６】
【図１】本発明の一実施形態に係る収納家具を示す斜視図。
【図２】同実施形態に係る収納家具を示す正面図。
【図３】同実施形態に係る収納家具を示す平面図。
【図４】同実施形態に係る収納家具の背板を示す平面図及び正面図。
【図５】同実施形態に係る収納家具の背板の下後隅部を示す斜視図。
【図６】同実施形態に係る収納家具の側板を示す平面図及び側面図。
【図７】同実施形態に係る収納家具の側板の下後隅部を示す斜視図。
【図８】同実施形態に係る収納家具の背板と側板との接合部位を示す斜視図。
【図９】図２におけるｘ−ｘ断端面のうち背板と側板との接合部位を拡大して示す図。
【図１０】同実施形態に係る収納家具の天板を示す側面図及び底面図。
【図１１】同実施形態に係る収納家具の底板を示す側面図及び底面図。
【図１２】同実施形態に係る収納家具の背板と側板と底板の接合の態様を示す斜視図。
【図１３】図２におけるｙ−ｙ断端面のうち底板と側板と背板との接合部位を拡大して示す図。
【符号の説明】
【００３７】
Ｓ…収納家具
１…背板
１２…背補強部
２…側板
２１…面板部
２２…後折り返し部
４…底板
４１１…舌片
【図１】
2008188354.tif 000003
【図２】
2008188354.tif 000004
【図３】
2008188354.tif 000005
【図４】
2008188354.tif 000006
【図５】
2008188354.tif 000007
【図６】
2008188354.tif 000008
【図７】
2008188354.tif 000009
【図８】
2008188354.tif 000010
【図９】
2008188354.tif 000011
【図１０】
2008188354.tif 000012
【図１１】
2008188354.tif 000013
【図１２】
2008188354.tif 000014
【図１３】
2008188354.tif 000015